(57)【要約】【課題】本発明は、薬品を管理するためのネットワークを必須とせず、薬品の重量の確認又は棚卸し時の手間を減らし、薬品の情報を全自動で修正又は現行化できる薬品管理システム及び薬品管理方法を提供することを目的とする。【解決手段】本発明の薬品管理システム及び薬品管理方法は、収納容器に収納されている薬品の重量を算出し、収納容器に貼付されているＩＣタグに薬品の重量の情報を書き込むこととした。ＩＣタグが貼付され薬品を収納する収納容器と、薬品を収納した後の収納容器の重量を計量する計量手段と、計量手段の計量した、薬品を収納した後の収納容器の重量及び薬品を収納する前の収納容器の予め取得した重量に基づいて、コンピュータの算出した薬品の重量を、ＩＣタグに書き込むＩＣタグライタとを備える。【選択図】図１
2011008479.tif 000002
【特許請求の範囲】
【請求項１】
ＩＣタグが貼付され薬品を収納する収納容器と、
薬品を収納した後の前記収納容器の重量を計量する計量手段と、
前記計量手段の計量した、薬品を収納した後の前記収納容器の重量及び前記薬品を収納する前の前記収納容器の予め取得した重量に基づいて、前記収納容器に収納されている前記薬品の重量を算出するコンピュータと、
前記コンピュータから入力された、前記コンピュータの算出した前記薬品の重量を、前記ＩＣタグに書き込むＩＣタグライタと、
を備える薬品管理システム。
【請求項２】
前記ＩＣタグライタは、さらに前記ＩＣタグへ、前記コンピュータが前記薬品の重量を算出した日時を書き込むことを特徴とする請求項１に記載の薬品管理システム。
【請求項３】
前記薬品の重量を前記ＩＣタグから読み込むＩＣタグリーダをさらに備える請求項１に記載の薬品管理システム。
【請求項４】
前記コンピュータが前記薬品の重量を算出した日時を前記ＩＣタグから読み込むＩＣタグリーダをさらに備えることを特徴とする請求項２又は３に記載の薬品管理システム。
【請求項５】
計量手段が、ＩＣタグが貼付され薬品を収納した後の収納容器の重量を計量する計量ステップと、
前記計量手段が、コンピュータへ、前記計量ステップで計量した薬品を収納した後の前記収納容器の重量を出力する重量出力ステップと、
前記コンピュータが、前記重量出力ステップで取得した薬品を収納した後の前記収納容器の重量及び前記薬品を収納する前の前記収納容器の予め取得した重量に基づいて、前記収納容器に収納されている前記薬品の重量を算出する重量算出ステップと、
ＩＣタグライタが、前記コンピュータの算出した前記薬品の重量を前記ＩＣタグに書き込む重量書き込みステップと、
を順に有する薬品管理方法。
【請求項６】
前記重量書き込みステップにおいて、さらに前記ＩＣタグライタが、前記コンピュータが前記薬品の重量を算出した日時を前記ＩＣタグに書き込むことを特徴とする請求項５に記載の薬品管理方法。
【請求項７】
ＩＣタグリーダが、前記ＩＣタグが貼付された前記収納容器に収納される前記薬品の重量を、前記ＩＣタグから読み込む重量読み込みステップを、前記重量書き込みステップの後に有する請求項５に記載の薬品管理方法。
【請求項８】
ＩＣタグリーダが、前記ＩＣタグが貼付された前記収納容器に収納される前記薬品の重量を前記コンピュータが算出した日時を、前記ＩＣタグから読み込む重量算出日時読み込みステップを、前記重量書き込みステップの後に有する請求項６又は７に記載の薬品管理方法。
【発明の詳細な説明】
【技術分野】
【０００１】
本発明は、大学や企業における消防法等の法規によって規制の対象となる薬品、又は決算上の棚卸しの対象となる薬品の管理を行う薬品管理システム及び薬品管理方法に関する。
【背景技術】
【０００２】
従来の薬品の使用状況を管理する薬品管理システムは、化学物質管理システムの一部として機能している。化学物質管理システムとは、化学物質の使用部門、環境、安全及び衛生面の管理を行う使用実態管理システムと、化学物質の安全情報を蓄積したＭＳＤＳ（Ｍａｔｅｒｉａｌ  Ｓａｆｅｔｙ  Ｄａｔａ  Ｓｈｅｅｔ）及び化学物質情報データベースと、化学物質の購入、使用及び排出量を集計する収支集計システムとから構成される大規模なシステムである。そして、化学物質管理システムはネットワークに接続され、同様にネットワークに接続されたクライアント端末から利用できる（例えば、非特許文献１参照。）。なお、薬品とは、薬として用いられる化学物質であり、例えば医療行為に用いられる医薬、農作物に対して用いられる農薬、実験、研究に用いられる試薬等である。また、薬品の形態としては、固体、液体、気体を問わず、貴金属或いはボンベに貯蔵されたガスも含まれる。
【先行技術文献】
【特許文献】
【０００３】
【非特許文献１】上林  志朗、岸本  安希子、澤井  聡祐、大岡  孝治、“ＳＨＡＲＰ−ＣＭＳ（化学物質管理システム）  シャープ技報  第７９号  ２００１年４月”、［ｏｎｌｉｎｅ］、平成１３年４月１６日、シャープ株式会社、［平成２１年６月１日検索］、インターネット＜ＵＲＬ：ｈｔｔｐ：／／ｗｗｗ．ｓｈａｒｐ．ｃｏ．ｊｐ／ｃｏｒｐｏｒａｔｅ／ｒｄ／ｊｏｕｒｎａｌ−７９／ｐｄｆ／７９−０９．ｐｄｆ＞
【発明の概要】
【発明が解決しようとする課題】
【０００４】
しかし、非特許文献１に記載される技術においては、薬品管理システムが含まれる化学物質管理システムは常時ネットワークに接続されている必要があるため、薬品管理システムとして非効率的である。例えば、化学物質管理システムのメンテナンスを行う場合には、化学物質管理システムがネットワークを介して接続する中央サーバのメンテナンスの手間に加え、薬品の使用者が使うクライアント端末も停止しなければならず、薬品管理システムを更改する場合は、化学物質管理システムを更改しなければならない。さらに、薬品の使用場所を移転する場合、移転先で同一の化学物質管理システムを使うためには、クライアント端末も移転先で別途用意する必要がある。また、発生頻度が低い作業のためだけに化学物質管理システムを使用するのも非効率的である。例えば、発生頻度の低い作業である、新たな薬品の受け入れ時のＭＳＤＳ制度に沿った薬品の情報の入力、又は薬品の使用場所を跨いだ移動時のＰＲＴＲ（Ｐｏｌｌｕｔａｎｔ  Ｒｅｌｅａｓｅ  ａｎｄ  Ｔｒａｎｓｆｅｒ  Ｒｅｇｉｓｔｅｒ）制度に沿った対応は、化学物質管理システムを必須とするが、発生頻度の高い作業、例えば薬品が使用された後の薬品の重量の管理時及び簡便な棚卸し時には、化学物質管理システムの一部である薬品管理システムのみ使用する。また、薬品に関する情報の修正又は現行化を、薬品の管理者が手作業で行う必要があり、この作業を全自動化することは困難である。
【０００５】
前記課題を解決するために、本発明は、薬品を管理するためのネットワークを必須とせず、薬品の重量の確認又は棚卸し時の手間を減らし、薬品の情報を全自動で修正又は現行化できる薬品管理システム及び薬品管理方法を提供することを目的とする。
【課題を解決するための手段】
【０００６】
上記目的を達成するために、本発明の薬品管理システム及び薬品管理方法は、収納容器に収納されている薬品の重量を算出し、収納容器に貼付されているＩＣタグに薬品の重量の情報を書き込むこととした。
【０００７】
具体的には、本発明の薬品管理システムは、ＩＣタグが貼付され薬品を収納する収納容器と、薬品を収納した後の前記収納容器の重量を計量する計量手段と、前記計量手段の計量した、薬品を収納した後の前記収納容器の重量及び前記薬品を収納する前の前記収納容器の予め取得した重量に基づいて、前記収納容器に収納されている前記薬品の重量を算出するコンピュータと、前記コンピュータから入力された、前記コンピュータの算出した前記薬品の重量を、前記ＩＣタグに書き込むＩＣタグライタと、を備えることを特徴とする。
【０００８】
また、本発明の薬品管理方法は、計量手段が、ＩＣタグが貼付され薬品を収納した後の収納容器の重量を計量する計量ステップと、前記計量手段が、コンピュータへ、前記計量ステップで計量した薬品を収納した後の前記収納容器の重量を出力する重量出力ステップと、前記コンピュータが、前記重量出力ステップで取得した薬品を収納した後の前記収納容器の重量及び前記薬品を収納する前の前記収納容器の予め取得した重量に基づいて、前記収納容器に収納されている前記薬品の重量を算出する重量算出ステップと、ＩＣタグライタが、前記コンピュータの算出した前記薬品の重量を前記ＩＣタグに書き込む重量書き込みステップと、を順に有することを特徴とする。
【０００９】
この発明によれば、薬品を管理するためのネットワークを必須とせず、薬品の重量の確認又は棚卸し時の手間を減らし、薬品の情報を全自動で修正又は現行化できる。
【００１０】
ここで、本発明の薬品管理システムの前記ＩＣタグライタは、さらに前記ＩＣタグへ、前記コンピュータが前記薬品の重量を算出した日時を書き込むことを特徴とする。
【００１１】
また、本発明の薬品管理方法は、前記重量書き込みステップにおいて、さらに前記ＩＣタグライタが、前記コンピュータが前記薬品の重量を算出した日時を前記ＩＣタグに書き込むことを特徴とする。
【００１２】
この発明によれば、収納容器に収納された薬品の重量を算出した日時と、収納容器に収納された薬品の重量の情報とを同時に書き込むため、薬品の重量の増減及び増減した日時が明確になり、容易に薬品を管理できる。
【００１３】
そして、本発明の薬品管理システムは、前記薬品の重量を前記ＩＣタグから読み込むＩＣタグリーダをさらに備えることを特徴とする。
【００１４】
また、本発明の薬品管理方法は、ＩＣタグリーダが、前記ＩＣタグが貼付された前記収納容器に収納される前記薬品の重量を、前記ＩＣタグから読み込む重量読み込みステップを、前記重量書き込みステップの後に有することを特徴とする。
【００１５】
この発明によれば、ＩＣタグに書き込まれた薬品の重量の情報を、ＩＣタグリーダで読み出すことができ、容易に薬品の重量を管理できる。
【００１６】
そして、本発明の薬品管理システムは、前記コンピュータが前記薬品の重量を算出した日時を前記ＩＣタグから読み込むＩＣタグリーダをさらに備えることを特徴とする。
【００１７】
また、本発明の薬品管理方法は、ＩＣタグリーダが、前記ＩＣタグが貼付された前記収納容器に収納される前記薬品の重量を前記コンピュータが算出した日時を、前記ＩＣタグから読み込む重量算出日時読み込みステップを、前記重量書き込みステップの後に有することを特徴とする。
【００１８】
この発明によれば、ＩＣタグに書き込んだ薬品の重量を算出した日時を、ＩＣタグリーダで読み出すことができ、薬品の重量の増減した日時が明確になり、容易に薬品の重量を管理できる。
【００１９】
なお、上記各発明は、可能な限り組み合わせることができる。
【発明の効果】
【００２０】
本発明によれば、薬品を管理するためのネットワークを必須とせず、薬品の重量の確認又は棚卸し時の手間を減らし、薬品の情報を全自動で修正又は現行化できる薬品管理システム及び薬品管理方法を提供できる。
【図面の簡単な説明】
【００２１】
【図１】本発明に係る薬品管理システムを示す図である。
【図２】本発明に係る薬品管理方法を示すフローチャートである。
【図３】本発明に係る薬品管理システムの他の実施形態を示す図である。
【図４】本発明に係る薬品管理システム及び薬品管理方法で扱う薬品の情報の構成例である。
【発明を実施するための形態】
【００２２】
添付の図面を参照して本発明を説明する。以下に説明する実施形態は本発明の実施例であり、本発明は、以下に制限されるものではない。なお、本明細書及び図面において符号が同じ構成要素は、相互に同一のものを示すものとする。
【００２３】
本発明に係る薬品管理システムの実施形態を説明する。図１は、本発明に係る薬品管理システムであり、１０−１は薬品を収納する収納容器、１１−１はＩＣタグ、１２−１は計量手段、１３−１はＩＣタグライタである。収納容器１０−１は、内部に薬品を収納できる容器である。薬品を収納でき、かつＩＣタグを貼付できれば形状、材質は問わない。ＩＣタグ１１−１は、情報を記録できる記憶領域、特に、ＩＣタグ１１−１のユーザが自由に情報を読み書きできる記憶領域であるユーザ領域を有し、ＩＣタグライタ１３−１により情報を書き込まれる。また、ＩＣタグ１１−１を貼付する位置は、ＩＣタグライタ１３−１を用いて情報を書き込むことができれば位置を問わない。計量手段１２−１は、薬品を収納した収納容器１０−１の重量を計量する。薬品を収納した収納容器１０−１の重量を自動的にＩＣタグライタ１３−１に入力するため、計量手段１２−１はデジタル出力が好ましいが、デジタル出力以外であってもよい。ＩＣタグライタ１３―１は、ＩＣタグ１１−１の記憶領域に情報を書き込む装置であり、図１に示すような、持ち運びが容易なハンディタイプが好ましい。例えば、株式会社ウェルキャット製“ＸＩＴ−１５０−ＢＲ”が適用できる。
【００２４】
ＩＣタグライタ１３−１は内蔵するコンピュータによる計算機能を有し、計量手段１２−１から入力された、ＩＣタグ１１−１が貼付された、薬品を収納した後の状態の収納容器１０−１の重量及び予め取得していたＩＣタグ１１−１が貼付された、薬品を収納する前の状態の収納容器１０−１の重量に基づいて、収納容器１０−１に収納された薬品の重量を算出する。また、ＩＣタグライタ１３−１に内蔵するコンピュータは、日時の情報を有している。
【００２５】
次に、図２を参照して本発明に係る薬品管理方法を説明する。図２は、本発明に係る薬品管理システムの動作を説明するフローチャートである。まず、本発明に係る薬品管理システムを備えた薬品倉庫から、薬品を収納した収納容器１０−１を取り出し、収納容器１０−１から薬品を取り出して使用する。そして、薬品を使用後、薬品倉庫へ戻す前に、計量手段１２−１に収納容器１０−１を積載することで、計量ステップＳ１０１が開始される。計量ステップＳ１０１によって薬品を収納した収納容器１０−１の重量が計量され、ＩＣタグライタ１３−１に内蔵されたコンピュータへ出力される。
【００２６】
次に、ＩＣタグライタ１３−１に内蔵されたコンピュータが、重量算出ステップＳ１０３において、重量出力ステップＳ１０２で取得したＩＣタグ１１−１が貼付された、薬品を収納した後の状態の収納容器１０−１の重量及び予め取得していたＩＣタグ１１−１が貼付された、薬品を収納する前の状態の収納容器１０−１の重量に基づいて、収納容器１０−１に収納された薬品の重量を算出する。なお、算出の基準となるＩＣタグ１１−１を貼付された、薬品を収納する前の状態の収納容器１０−１の重量は、ＩＣタグ１１−１を貼付された、薬品を収納する前の状態の収納容器１０−１の重量を予め計量しておいてもよいし、ＩＣタグ１１−１を貼付していない、薬品を収納する前の状態の収納容器１０−１だけの重量とＩＣタグ１１−１の重量とをそれぞれ計量しておいてもよい。算出された薬品の重量は、重量書き込みステップＳ１０４において、ＩＣタグライタ１３−１によって、収納容器１０−１に貼付されたＩＣタグ１１−１に書き込まれる。ＩＣタグ１１−１に薬品の重量を書き込まれた収納容器１０−１は、薬品倉庫に戻される。
【００２７】
以上説明したように、この発明によれば、ネットワークが敷設されていない場所でも薬品の重量を管理でき、本発明に係る薬品管理システムがネットワークを介して接続する中央サーバのメンテナンス中でも、薬品の使用者が使うクライアント端末は使用でき、必要が生じた場合のみ、中央サーバに接続することもできる。このため、薬品管理システムの更改も容易である。そして、薬品の重量と収納容器１０−１との対応は直感的であるため、薬品の重量の確認の手間を減らし、簡便に棚卸しをすることができる。さらに、薬品の重量をＩＣタグ１１−１に書き込む際に手作業は介在せず、全自動で薬品の情報を登録することができる。
【００２８】
ここで、過去の棚卸し時に算出された、収納容器１０−１に収納された薬品の重量と、現在の棚卸し時に算出された、収納容器１０−１に収納された薬品の重量との差から、前過去の棚卸し時から現在の棚卸し時までの間に使用された薬品の重量を算出できる。
【００２９】
次に、本発明に係る薬品管理システムの他の実施形態を説明する。図３は、本発明に係る薬品管理システムの他の実施形態であり、１４はコンピュータである。なお、図１において説明した要素については説明を省略する。コンピュータ１４は、日時の情報を有し、ＩＣタグライタ１３−２の制御を行い、かつ薬品の重量の算出を行う。ＩＣタグライタ１３−２は、計量手段１２−２上に積載される。ＩＣタグライタ１３−２はコンピュータを内蔵していないため、軽量、かつ安価である。ＩＣタグ１１−２は収納容器１０−２の底面に貼付されている。
【００３０】
図３に示した本発明に係る薬品管理システムの他の実施形態の動作は、図２に示した本発明に係る薬品管理システムの動作と同様である。ただし、計量ステップＳ１０１において、計量手段１２−２は、ＩＣタグ１１−２が貼付された、薬品を収納した後の状態の収納容器１０−２の重量及びＩＣタグライタ１３−２の重量を計量する。このため、重量算出ステップＳ１０３において、コンピュータ１４は、計量ステップＳ１０１で計量され、重量出力ステップＳ１０２で取得した、ＩＣタグ１１−２が貼付された、薬品を収納した後の状態の収納容器１０−２の重量及びＩＣタグライタ１３−２の重量と、予め取得していたＩＣタグ１１−２が貼付された、薬品を収納する前の状態の収納容器１０−２の重量及び予め取得していたＩＣタグライタ１３−２の重量とに基づいて、薬品の重量を算出する。
【００３１】
なお、算出の基準となるＩＣタグ１１−２を貼付された、薬品を収納する前の状態の収納容器１０−２の重量は、ＩＣタグ１１−２を貼付された、薬品を収納する前の状態の収納容器１０−２の重量を予め計量しておいてもよいし、ＩＣタグ１１−２を貼付していない、薬品を収納する前の状態の収納容器１０−２だけの重量とＩＣタグ１１−２の重量とをそれぞれ計量しておいてもよい。重量算出ステップＳ１０３において、コンピュータ１４によって算出された薬品の重量は、重量書き込みステップＳ１０４において、収納容器１０−２を移動させずに収納容器１０−２の底面に貼付されたＩＣタグ１１−２に書き込まれる。
【００３２】
以上説明したように、本実施形態によれば、薬品の重量をＩＣタグ１１−２に書き込む際に手作業は介在せず、全自動で薬品の情報を登録することができる。登録の際には、ＩＣタグライタ１３−２と収納容器１０−２とを計量手段１２−２上に積載し、ＩＣタグ１１−２を収納容器１０−２の底面に貼付したことで、ＩＣタグ１１−２が貼付された、薬品を収納した後の状態の収納容器１０−２の重量を計量し、薬品の重量を算出し、ＩＣタグ１１−２へ薬品の重量を書き込むという一連の動作を一度に行うことができ、薬品の重量の管理を迅速に行うことができる。
【００３３】
ここで、図１において、本発明に係る薬品管理システムのＩＣタグライタ１３−１は、さらにＩＣタグ１１−１へ、コンピュータが薬品の重量を算出した日時を書き込んでもよい。そして、本発明に係る薬品管理システムの動作は、図２において、重量書き込みステップＳ１０４において、さらにＩＣタグライタ１３−１が、コンピュータが薬品の重量を算出した日時をＩＣタグ１１−１に書き込む。ＩＣタグ１１−１へ、収納容器１０−１に収納された薬品の重量を算出した日時と、収納容器１０−１に収納された薬品の重量の情報とを同時に書き込むため、薬品の重量の増減及び増減した日時が明確になり、棚卸しや薬品を移転する際に容易に薬品を管理することができる。
【００３４】
さらに、図１において、本発明に係る薬品管理システムは、薬品の重量をＩＣタグ１１−１から読み込む図示しないＩＣタグリーダをさらに備える。本発明に係る薬品管理システムの動作は、図２において、ＩＣタグリーダが、ＩＣタグ１１−１が貼付された収納容器１０−１に収納される薬品の重量を、ＩＣタグ１１−１から読み込む重量読み込みステップＳ１０５を、重量書き込みステップＳ１０４の後に実行する。ＩＣタグリーダを備えることで、ＩＣタグ１１−１に書き込まれた薬品の重量の情報を読み出すことができ、棚卸し又は薬品の移転に際して、容易に薬品を管理することができる。また、ネットワークが敷設されていない場所でも薬品の重量の管理ができ、本発明に係る薬品管理システムがネットワークを介して接続する中央サーバのメンテナンス中でも、薬品の使用者が使うクライアント端末は使用でき、必要が生じた場合のみ、中央サーバに接続することもできる。このため、薬品管理システムの更改も容易である。そして、薬品の重量と収納容器１０−１との対応は直感的であるため、薬品の重量の確認の手間を減らし、簡便に棚卸しをすることができる。
【００３５】
また、図１において、本発明に係る薬品管理システムは、コンピュータが薬品の重量を算出した日時をＩＣタグ１１−１から読み込むＩＣタグリーダをさらに備える。本発明に係る薬品管理システムの動作としては、図２において、ＩＣタグリーダが、ＩＣタグ１１−１が貼付された収納容器１０−１に収納される薬品の重量をコンピュータが算出した日時を、ＩＣタグ１１−１から読み込む重量算出日時読み込みステップＳ１０６を、重量書き込みステップＳ１０４の後に実行する。ＩＣタグ１１−１に書き込まれた、収納容器１０−１に収納された薬品の重量を算出した日時を読み出すため、薬品の重量が増減した日時が明確になり、棚卸しや薬品を移転する際に容易に薬品を管理することができる。
【００３６】
なお、ＩＣタグリーダによるＩＣタグ１１−１からの読み込みは、読み込みステップＳ１０７では、重量読み込みステップＳ１０５のみの実行、重量算出日時読み込みステップＳ１０６のみの実行、或いは両方のステップの実行のいずれでもよい。また、両方のステップを実行する場合は、実行する順序は問わない。例えば、薬品の重量に変化がないことが明らかな場合は、重量算出日時読み込みステップＳ１０６のみを実行することで棚卸しを簡易に済ませることもできる。
【００３７】
ここで、読み込みステップＳ１０７において、例えば、１００個のＩＣタグ１１−１から、薬品の重量及び薬品の重量を算出した日時を一度に読み込む際、重量書き込みステップＳ１０４において、個々のＩＣタグ１１−１に、薬品の重量及び薬品の重量を算出した日時が書き込まれているか否かを確認しなくても、薬品の重量だけ書き込まれていた場合は、読み込みステップＳ１０７の中で、重量読み込みステップＳ１０５だけを実行し、薬品の重量及び薬品の重量を算出した日時が書き込まれていた場合は、読み込みステップＳ１０７の中で、重量算出日時読み込みステップＳ１０６だけを実行する。
【００３８】
ここで、図４を参照して、本発明の薬品管理システム及び薬品管理方法で扱う薬品の情報の構成例を説明する。薬品の情報は、薬品の重量の情報及び薬品の重量を算出した日時の情報を含む。例えば、図４に示すように、薬品の重量として最大９９９９．９９９ｇ、最小単位は０．００１ｇ、即ち１ｍｇまで書き込むことができ、かつ薬品の重量を算出した年月日及び時分を書き込むことができる。薬品の情報の長さは、４バイト５ブロック、合計２０バイトの長さである。つまり、記憶領域を２５６バイト有する市販のＩＣタグであれば、１２回分の薬品の重量を履歴として残すことができる。市販のＩＣタグには、例えばＴｅｘａｓ  Ｉｎｓｔｒｕｍｅｎｔｓ株式会社製“Ｔａｇ−ｉｔ  ＨＦ−Ｉ  Ｐｌｕｓ”が適用できる。また、薬品の情報の長さを伸ばし、薬品の使用者の情報を入力するようにしてもよい。薬品の情報の長さを伸ばす場合及び１２回分以上の書き込み回数を必要とする場合は、容量２キロバイトのＦＲＡＭタグを使用することもできる。容量が２キロバイトまで拡張されると２０バイトの長さの薬品の情報は１００回分書き込むことができる。このように拡張することで、ＩＣタグを薬品の受け払い簿とすることもできる。なお、２キロバイトのＦＲＡＭタグには、例えば富士通株式会社製ＦＲＡＭタグが適用できる。
【産業上の利用可能性】
【００３９】
本発明の薬品管理システム及び薬品管理方法は、大学や企業における消防法等の法規によって規制の対象となる薬品、又は決算上の棚卸しの対象となる薬品の管理に適用することができる。
【符号の説明】
【００４０】
１０−１，１０−２：収納容器
１１−１，１１−２：ＩＣタグ
１２−１，１２−２：計量手段
１３−１，１３−２：ＩＣタグライタ
１４：コンピュータ
Ｓ１０１：計量ステップ
Ｓ１０２：重量出力ステップ
Ｓ１０３：重量算出ステップ
Ｓ１０４：重量書き込みステップ
Ｓ１０５：重量読み込みステップ
Ｓ１０６：重量算出日時読み込みステップ
Ｓ１０７：読み込みステップ
【図１】
2011008479.tif 000003
【図２】
2011008479.tif 000004
【図３】
2011008479.tif 000005
【図４】
2011008479.tif 000006